(57)【要約】【課題】  中央コアの周りに巻き付けられた複数の絶縁ワイヤを有するケーブルを設置することを含むケーブル布線に電極を取り付ける方法を提供する。【解決手段】  本方法は、１組の巻き付けられたワイヤの内のそれぞれのワイヤから絶縁材を除去して、１組の内のそれぞれのワイヤのそれぞれの導体のそれぞれの部分へのそれぞれのアクセスチャネルを、それぞれの部分が中央コアの上で巻き付けられたままである間にそれぞれのアクセスチャネルを提供するようにすることを更に含む。本方法は、それぞれの部分が中央コアの上で巻き付けられたままである間に、それぞれのアクセスチャネルにそれぞれの電極を取り付けることを更に含む。【選択図】  図１Ａ
2015083130.tif 000002
【特許請求の範囲】
【請求項１】
装置であって、
中央コアの周りに巻き付けられた複数の絶縁ワイヤを備えるケーブルと、
１組の前記巻き付けられたワイヤの内のそれぞれのワイヤのそれぞれの導体のそれぞれの部分へのそれぞれのアクセスチャネルであって、前記それぞれの部分が前記中央コアの上で巻き付けられたままである間に前記１組の内のそれぞれのワイヤから絶縁材を除去することにより形成された、それぞれのアクセスチャネルと、
前記それぞれの部分が前記中央コアの上で巻き付けられたままである間に前記それぞれのアクセスチャネルに取り付けられたそれぞれの電極と、を備える、装置。
【請求項２】
前記それぞれの電極を取り付けることより前に前記それぞれのアクセスチャネルの近傍に位置決めされた半田ボールを備え、前記それぞれの電極を取り付けることは、前記半田ボールを融解させて、固化した半田が、前記それぞれの電極に、前記それぞれのアクセスチャネルを介して、前記それぞれの導体の前記それぞれの部分を接続するようにすることを含む、請求項１に記載の装置。
【請求項３】
定位置に前記半田ボールを保持する、前記それぞれのアクセスチャネルの上に塗布された接着剤を備える、請求項２に記載の装置。
【請求項４】
前記それぞれの電極は、前記ケーブル布線を完全に取り囲む、請求項１に記載の装置。
【請求項５】
前記それぞれの電極は、前記ケーブル布線を部分的に取り囲む、請求項１に記載の装置。
【請求項６】
前記ワイヤは、前記中央コアの周りに単一の巻き方向で巻き付けられる、請求項１に記載の装置。
【請求項７】
前記１組は、前記中央コアの周りに左巻きに巻き付けられた前記ワイヤの第１のグループと、前記中央コアの周りに右巻きに巻き付けられた前記ワイヤの第２のグループと、を備える、請求項１に記載の装置。
【請求項８】
電極をケーブル布線に装着する方法であって、
中央コアの周りに巻き付けられた複数の絶縁ワイヤを備えるケーブルを提供することと、
１組の前記巻き付けられたワイヤの内のそれぞれのワイヤから絶縁材を除去して、前記１組の内のそれぞれのワイヤのそれぞれの導体のそれぞれの部分へのそれぞれのアクセスチャネルを、前記それぞれの部分が前記中央コアの上で巻き付けられたままである間に、提供するようにすることと、
前記それぞれの部分が前記中央コアの上で巻き付けられたままである間に前記それぞれのアクセスチャネルにそれぞれの電極を取り付けることと、を含む、方法。
【請求項９】
前記それぞれの電極を取り付けることの前に前記それぞれのアクセスチャネルの近傍に半田ボールを位置決めすることを含み、前記それぞれの電極を取り付けることは、前記半田ボールを融解させて、固化した半田が、前記それぞれの電極に、前記それぞれのアクセスチャネルを介して、前記それぞれの導体の前記それぞれの部分を接続するようにすることを含む、請求項８に記載の方法。
【請求項１０】
前記半田ボールを位置決めすることは、前記それぞれのアクセスチャネルの上に接着剤を塗布して、前記接着剤で定位置に前記半田ボールを保持することを含む、請求項９に記載の方法。
【請求項１１】
前記それぞれの電極は、前記ケーブル布線を完全に取り囲む、請求項８に記載の方法。
【請求項１２】
前記それぞれの電極は、前記ケーブル布線を部分的に取り囲む、請求項８に記載の方法。
【請求項１３】
前記ワイヤは、前記中央コアの周りに単一の巻き方向で巻き付けられる、請求項８に記載の方法。
【請求項１４】
前記１組は、前記中央コアの周りに左巻きに巻き付けられた前記ワイヤの第１のグループと、前記中央コアの周りに右巻きに巻き付けられた前記ワイヤの第２のグループと、を備える、請求項８に記載の方法。
【請求項１５】
侵襲性医療処置において前記ケーブル布線を使用することを含む、請求項８に記載の方法。
【発明の詳細な説明】
【技術分野】
【０００１】
（関連出願の相互参照）
本出願は、２０１３年４月１１日出願の、「Ｈｉｇｈ  Ｄｅｎｓｉｔｙ  Ｅｌｅｃｔｒｏｄｅ  Ｓｔｒｕｃｔｕｒｅ」という名称の米国特許出願第１３／８６０，９２１号の一部継続出願であり、この特許は、参照により本明細書に組み入れられる。
【０００２】
（発明の分野）
本発明は全般にケーブル布線に関するものであり、具体的には、ケーブル布線との電極の接続に関するものである。
【背景技術】
【０００３】
その開示が参照により本明細書に組み込まれる米国特許出願第２０１２／０１７２７１４号（Ｇｏｖａｒｉら）は、伝導性ワイヤを複数の支持ワイヤからなる管状の編組に組み込んで、シースで管状の編組を被覆する方法を記載している。本方法は、管状の編組内部の、伝導性ワイヤの位置を特定することと、その位置で、シースを貫通して伝導性ワイヤに電極を取り付けることと、を更に含む。
【０００４】
その開示が参照により本明細書に組み込まれる、米国特許第６，２１３，９９５号（Ｓｔｅｅｎら）は、管材の壁の内部に編組を形成する複数個の編組状要素が提供された壁を含む、可撓性の管材を記載している。この編組状要素は、１つ又は２つ以上の信号伝送要素、及び信号伝送要素とは異なる構造特性を有する、１つ又は２つ以上の金属構造要素若しくは非金属構造要素を含むことが、記載されている。
【０００５】
その開示が参照により本明細書に組み込まれる、米国特許第７，２２９，４３７号（Ｊｏｈｎｓｏｎら）は、導電性配線及び外部電気接点を有する、カテーテルを記載している。この開示は、それぞれの配線が、１つ又は２つ以上の外部電気接点と電気的に接続し得ることを記載している。
【０００６】
参照により本特許出願に組み込まれる文書は、組み込まれた文書内の用語が、本明細書で明示的又は暗黙的に行われる定義と相反するように定義される場合を除き、本出願の一体部分と見なされるべきであり、本明細書における定義のみが検討されるべきである。
【発明の概要】
【課題を解決するための手段】
【０００７】
本発明の実施形態は、ケーブル布線に電極を装着する方法であって、
中央コアの周りに巻き付けられた複数の絶縁ワイヤを含むケーブルを設置することと、
１組の巻き付けられたワイヤの内のそれぞれのワイヤから絶縁材を除去して、１組の内のそれぞれのワイヤのそれぞれの導体のそれぞれの部分へのそれぞれのアクセスチャネルを、それぞれの部分が中央コアの上で巻き付けられたままである間に提供するようにすることと、
それぞれの部分が中央コアの上で巻き付けられたままである間にそれぞれのアクセスチャネルにそれぞれの電極を取り付けることと、を含む、方法を提供する。
【０００８】
開示されている一実施形態において、本方法は、それぞれの電極を取り付ける前にそれぞれのアクセスチャネルの近傍に半田ボールを位置決めすることを更に含み、それぞれの電極を取り付けることは、半田ボールを融解させて、固化した半田が、それぞれの電極に、それぞれのアクセスチャネルを介して、それぞれの導体のそれぞれの部分を接続するようにすることである。典型的に、半田ボールを位置決めすることは、それぞれのアクセスチャネルの上に接着剤を塗布して、接着剤で定位置に半田ボールを保持することを含む。
【０００９】
更に開示されている一実施形態において、それぞれの電極は、ケーブル布線を完全に取り囲む。あるいは、それぞれの電極は、ケーブル布線を部分的に取り囲む。
【００１０】
尚も更に開示されている一実施形態において、ワイヤは、中央コアの周りに単一の巻き方向で巻き付けられる。あるいは、１組は、中央コアの周りに左巻きに巻き付けられたワイヤの第１のグループと、中央コアの周りに右巻きに巻き付けられたワイヤの第２のグループとを備える。
【００１１】
典型的に、本方法は、侵襲的医療処置においてケーブル布線を使用することを含む。
【００１２】
本発明の一実施形態により、更に、次のものを含む装置が提供される：
中央コアの周りに巻き付けられた複数の絶縁ワイヤからなるケーブルと、
１組の巻き付けられたワイヤの内のそれぞれのワイヤのそれぞれの導体のそれぞれの部分へのそれぞれのアクセスチャネルであって、それぞれの部分が中央コアの上で巻き付けられたのままである間に１組の内のそれぞれのワイヤから絶縁材を除去することにより形成された、それぞれのアクセスチャネルと、
それぞれの部分が中央コアの上で巻き付けられたままである間にそれぞれのアクセスチャネルに取り付けられたそれぞれの電極。
【００１３】
本開示は、以下の発明を実施するための形態を、以下の図面と併せ読むことによって、より完全に理解されるであろう。
【図面の簡単な説明】
【００１４】
【図１Ａ】本発明の一実施形態によるケーブル布線の概略図である。
【図１Ｂ】本発明の一実施形態によるケーブル布線の概略図である。
【図２Ａ】本発明の実施形態による、ケーブル布線に電極を取り付ける際の工程を例示する概略図である。
【図２Ｂ】本発明の実施形態による、ケーブル布線に電極を取り付ける際の工程を例示する概略図である。
【図２Ｃ】本発明の実施形態による、ケーブル布線に電極を取り付ける際の工程を例示する概略図である。
【図２Ｄ】本発明の実施形態による、ケーブル布線に電極を取り付ける際の工程を例示する概略図である。
【図２Ｅ】本発明の実施形態による、ケーブル布線に電極を取り付ける際の工程を例示する概略図である。
【図３】本発明の実施形態による、工程を示すフローチャートである。
【図４】本発明の一実施形態によるケーブル布線を用いた侵襲的医療処置の概略図である。
【発明を実施するための形態】
【００１５】
概論
本発明の実施形態は、ケーブル布線に電極を取り付ける方法を提供する。ケーブル布線は、中央コアの周りに巻き付けられた複数の絶縁ワイヤを有するケーブルを含む。ケーブル布線に電極を取り付けるために、所与のワイヤの内の導体の対応する部分にアクセスチャネルを提供するように、絶縁材を所与のワイヤの部分から除去する。絶縁材の除去は、所与のワイヤが中央コアの周りに巻き付けられたままである間に行われる。
【００１６】
アクセスチャネルが形成されると、所与のワイヤが中央コアの周りに巻き付けられたままである間に電極をアクセスチャネルに取り付けることができる。
【００１７】
典型的に、電極を取り付ける前に、半田ボールは、アクセスチャネルの近傍に位置決めされ、更に、アクセスチャネルの上に塗布される接着剤により、定位置に保持することができる。その後、半田ボールを覆うように電極を設置することができる。その後、取り付けることは、半田を融解させ、その後、冷却させて、固化した半田がアクセスチャネルを介して電極及び導体の対応する部分を接続するようにすることにより、導体に電極を電気的に接続することを含む。融解させることは、電極に熱を印加することにより行うことができる。
【００１８】
システムの説明
ここで、本発明の一実施形態によるケーブル布線１０の概略図である図１Ａ及び１Ｂを参照する。図１Ａは、ケーブル布線の概略断面図である。図１Ｂは、ケーブル布線１０の概略側面図で、ケーブル布線の内部構成要素を露出させるために部分的に切り取られている。後で詳述されるように、電極はケーブル布線に取り付けられ、このケーブル布線は、典型的に、それぞれに取り付けられたワイヤを有する数多くの個別の電極を、ケーブル布線の短い長さ内に取り付けることができ、これによってケーブル布線１０は、高密度の電極を支持することができる。ケーブル布線１０は典型的に医療用カテーテルの一部として使用され、ここにおいて電気的測定が、ケーブル布線に取り付けられた電極から行われる。
【００１９】
ケーブル布線１０は、概ね類似の複数のワイヤ１２を備え、それぞれのワイヤ１２は、絶縁層１６で被覆された導電体１４として形成されている。下記の説明において、ケーブル布線１０に関連する概ね類似の構成要素は、一般に構成要素識別番号により参照され、必要に応じて、文字Ａ、Ｂ、．．．を数字に添えることにより、互いが区別される。よってワイヤ１２Ｃは、絶縁層１６Ｃで被覆された導電体１４Ｃとして形成されている。本発明の実施形態は、ケーブル布線中に実質的に任意の数の複数ワイヤ１２で実装することができるが、下記の説明における明瞭さと簡略化のため、ケーブル布線１０は、１６本のワイヤ１２Ａ、．．．１２Ｅ、．．．１２Ｉ、．．．１２Ｍ、．．．１２Ｐを含むものと仮定される。
【００２０】
（図示目的のため、ワイヤ１２の絶縁層１６は、導電体１４とほぼ同じ寸法を有するものとして描かれている。実際には、絶縁層は典型的に、ワイヤ直径の約１０分の１である。）
【００２１】
医療用カテーテルの一部として使用するために、ケーブル布線１０の外径は、できるだけ小さくするように実装される。一実施形態において、ケーブル布線１０は長さ約２ｍ、外径約０．５ｍｍに等しく、ほぼ円筒形である。
【００２２】
ワイヤ１２は、ケーブル布線１０の外径に適合する任意の直径のワイヤで形成され得る。一実施形態において、ワイヤ１２は、約３０マイクロメートルのワイヤ径に相当する、０．０００７８ｍｍ２（４８ＡＷＧ）ワイヤで形成される。本発明の幾つかの実施形態において、発明者らは導電体１４に、とりわけ、モネル、コンスタンタン、又は銅を使用した。銅はモネル又はコンスタンタンよりも高い導電率を有するが、ケーブル布線の製造中に破断する傾向があり得る。モネルとコンスタンタンの両方とも、ケーブル布線１０の強度を強化するが、例えば磁気共鳴イメージング処置中又は磁気ナビゲーションを用いるカテーテルにおけるような、材料の磁気特性が重要な意味をもつ環境においては、導電体１４にコンスタンタンを使用することが好ましい可能性がある。
【００２３】
モネル、コンスタンタン及び銅が導電体１４に使用する材料の例として提示されているが、本発明の実施形態は特定のタイプの材料に限定されるものではなく、他の便利な任意の導電性材料を使用できることが理解されよう。幾つかの実施形態において、互いに隣接し合うワイヤは、例えば銅とコンスタンタンなど、互いに異なる導電体を有するよう選択することができ、これにより熱電対接合を形成するために利用できる。
【００２４】
ワイヤ１２は、内部コア１８の表面に形成され、この内部コアは典型的に円筒形チューブとして成形されており、コア１８は本明細書においてチューブ１８とも称される。コア材料は典型的に、ポリエーテルブロックアミド（ＰＥＢＡ）などの熱可塑性エラストマーであるよう選択される。開示されている一実施形態において、コア１８は、Ａｒｋｅｍａ（Ｃｏｌｏｍｂｅｓ，Ｆｒａｎｃｅ）により製造される４０Ｄ  Ｐｅｂａｘで形成される。この開示されている実施形態において、コア１８は、例として、壁厚約１３マイクロメートル、外径約０．４ｍｍの円筒形である。ワイヤ１２は、チューブ周囲にワイヤを巻き付けることにより、コア１８の外側表面２０の上に形成される。よって、コア１８が円筒形の場合、その外側表面上にあるそれぞれのワイヤ１２は、螺旋状コイルの形状となる。編組とは対照的に、ワイヤ１２のすべての螺旋状のコイルは、同じ巻き方向を有する、即ち、ケーブル布線のすべてのワイヤは、左巻きである、又は、ケーブル布線のすべてのワイヤは、右巻きである。本開示において、及び、特許請求の範囲において、ケーブル布線は、ケーブル布線の内部のコアの周りに巻き付けられているケーブル布線のすべてのワイヤが同じ巻き方向を有する場合、単一巻き方向のケーブル布線と称される。また、本開示において、及び、特許請求の範囲において、ケーブル布線のワイヤが左巻きに巻き付けられるワイヤの第１のグループ及び右巻きに巻き付けられるワイヤの第２のグループを含むケーブル布線は、編組ケーブル布線と称される。典型的に、編組ケーブル布線において、第１のグループ内のワイヤの数は、第２のグループ内の番号に等しい。
【００２５】
ケーブル布線１０と概ね類似のものである単一巻き方向のケーブル布線に関する更なる詳細は、先に参照した米国特許出願第１３／８６０，９２１号内に提供されている。編組ケーブル布線の例が、先に参照した米国特許出願第２０１２／０１７２７１４号内に提供されている。
【００２６】
簡潔さのために、以下の説明は、ケーブル布線１０により例証されているように単一巻き方向のケーブル布線のみを考察する。しかしながら、本発明の実施例は、単一巻き方向の、又は、編組ケーブル布線に適用され、当業者は、必要な変更を加えて、編組ケーブル布線の説明に適応させることができよう。
【００２７】
ワイヤ１２を表面２０の上に巻き付ける際、ワイヤは、典型的に、互いに「密に充填された」構成に接触するように配列される。換言すれば、内部チューブ１８を開いて表面２０を平面になるようにした場合、ワイヤは（「末端の影響」を無視すれば）表面２０の上にワイヤの単層を形成し、２つの他の絶縁層と接触する連続的な絶縁層１６を備え、この絶縁層は表面２０とも連続的に接触している。
【００２８】
チューブ１８が円筒形の場合、ワイヤ１２の螺旋状コイルが密に充填された配列とは、これらのワイヤが多条ねじ構成に配列されていることを意味する。そのような構成は、先に参照した米国特許出願第１３／８６０，９２１号においてより詳細に記載されている。
【００２９】
ワイヤ１２が上述のように多条ねじ構成で形成された後、ワイヤは保護シース２２で被覆される。この保護シースの材料は典型的に、例えばＰＥＢＡなどの熱可塑性エラストマーとなるよう選択される。開示されている一実施形態において、シース２２は、Ａｒｋｅｍａにより製造される５５Ｄ  Ｐｅｂａｘで形成され、シースには添加剤は組み入れられず、そのためこのシースは透明である。開示されている実施形態において、シース２２は、例として、約０．５ｍｍの外径を有する。
【００３０】
典型的に、必ずしも必要ではないが、少なくとも１本のワイヤ１２の絶縁層は、他のワイヤの色と異なるように着色される。シース２２が透明であると仮定した場合、そのような着色は、ワイヤがケーブル布線１０内に配列された後に、特定のワイヤを識別するのに役立つ。編組み配列における特定のワイヤを識別するための別の方法は、米国特許出願第２０１２／０１７２７１４号に記述されており、これは参照により本明細書に組み込まれる。
【００３１】
例として、１６本のワイヤを用いる本記載の実施形態において、ワイヤ４本ごとにその絶縁層が着色され、これにより１６Ａ、１６Ｅ、１６Ｉ、及び１６Ｍがそれぞれ、緑、黒、赤、及び紫に着色される。残りのワイヤの絶縁層は、白などの他の任意の色であってよく、又は無色のままであってもよい。よって、ワイヤ１２Ａ、１２Ｅ、１２Ｉ、及び１２Ｍは緑、黒、赤、及び紫の色を有する外見となり、残りのワイヤとは視覚的に外見が異なる。
【００３２】
ワイヤ１２をコアの周りに巻き付け、次いでシースでそのワイヤを被覆するプロセスは、本質的に、ワイヤをケーブル布線１０の壁内に埋め込むことになり、この壁は、コアとシースからなる。ワイヤを壁内に埋め込むとは、このケーブル布線がカテーテルを形成するのに使用されたときに、ワイヤが機械的損傷を受けないことを意味する。カテーテルの組立中にワイヤが固定されないままである場合、上に例示した０．０００７８ｍｍ２（４８ＡＷＧ）ワイヤのような細いワイヤには、機械的損傷が生じやすい。
【００３３】
図２Ａ〜２Ｅは、ケーブル布線１０に電極６４を取り付ける際の工程を示す概略図であり、図３は、本発明の実施形態に係る、工程を例示するフローチャート１００である。典型的に、最大１６本までの電極６４、即ち、電極６４Ａ、６４Ｂ、．．．６４Ｏ、６４Ｐをケーブル布線のそれぞれのワイヤに取り付けることができる。以下の説明では、一般的な名称電極６４により特定の電極を指す。
【００３４】
図２Ａは、ケーブル布線の概略上面図であり、図２Ｂ〜２Ｅは、電極６４の取り付けの異なる段階におけるケーブル布線の概略側面図である。すべての図において、シース２２の各部は、ケーブル布線１０のワイヤ１２を露出させるために、ならびに、ケーブル布線への電極６４の取り付けを例示するために切り取られている。
【００３５】
電極６４は典型的に、シース２２上を摺動することができる寸法の導電性リングの形態である。電極６４の代替形状のより多くの詳細が、以下で提供されている。以降の説明では、電極が、ケーブル布線１０の遠位端で着色ワイヤ１２Ｅの導体１４Ｅに取り付けられると仮定する。
【００３６】
最初の工程１０２において、まず目視にて着色ワイヤ１２Ｅを見つけ、その後、ケーブル布線に沿って電極の所要の場所を見つけることにより電極を取り付ける場所を選択する。シース２２が透明であるため、この視覚的な決定が可能である。
【００３７】
アクセス工程１０４において、ワイヤより上方のシース２２の部分及び絶縁層１６Ｅの対応する部分を除去する。この除去は、図２Ａで例示するように、シース２２の絶縁材を貫通し、更に、層１６Ｅの絶縁材を貫通して導体１４Ｅの部分４６に至るアクセスチャネル４２を提供する。導体１４Ｅの部分を露出させる絶縁材の除去は、例えば、絶縁材を貫通するためにレーザを使用することにより、又は、絶縁材の機械式な除去によりなど、任意の簡便な手段によるものであってよい。
【００３８】
接着剤アプリケーション工程１０６において、接着剤４４をアクセスチャネル上に塗布する。接着剤の塗布は、典型的に、図２Ｂで例示するように、チャネル４２を被覆するものである。
【００３９】
半田ボール工程１０８において、半田ボール６０をアクセスチャネル４２の入口の近傍に位置決めして、接着剤４４によりチャネルに対して定位置に保持する。半田ボールの位置決めが、図２Ｃに例示されている。
【００４０】
典型的に、半田ボール６０は、低融点金属又は低融点合金で形成される。本発明の一実施形態において、半田ボール６０は、インジウムから形成される。
【００４１】
電極位置決め工程１１０において、半田ボールと接触しているように電極６４の場所を特定する。一例として、電極６４は、リングの形であると仮定され、本明細書ではリング電極６４とも称される。いくつかの実施形態において、リング電極６４は完全にケーブル布線１０を取り囲み、その場合、リングが半田ボールを覆うように、ケーブル布線１０に沿ってリングをスライドさせることによりリング電極６４の位置決めを行うことができる。代替実施形態において、リング電極６４は、「破断」リングとして部分的にケーブル布線１０を取り囲み、その場合、リングが半田ボールを覆うするように、ケーブル布線１０の上にリングを押し進めることによりリング電極６４の位置決めを行うことができる。フローチャートの残りの説明において、リング電極６４は、ケーブル布線を完全に取り囲むと想定される。半田ボールを覆うためにリングを完全に取り囲むリング電極６４の位置決めが、図２Ｄに例示されている。
【００４２】
加熱工程１１２において、リング電極６４を加熱し、加熱しながらボール６０上に押圧する。熱及び圧力の組み合わせがボールの半田を融解し、ボールが変形し、かつ、溶融半田がリング電極６４内面を湿潤化し、またチャネル４２も貫通する。チャネルを貫通する溶融半田により、導体１４Ｅの露出した部分が湿潤化する。
【００４３】
最終工程１１４において、リング電極に印加された加熱を除去し、電極及び半田を典型的に周囲の室温に自然冷却させる。冷却時には、半田は、図２Ｅに例示するように、中実の半田ブリッジ６８に固化する。変形した半田ボールに相当するブリッジ６８は、電極６４及び導体１４Ｅの部分４６に接続する。
【００４４】
図４は、本発明の一実施形態によるケーブル布線１０を用いた、侵襲的医療処置の概略図である。処置に備えて、ケーブル布線１０が、カテーテル１５０に組み込まれ、ケーブル布線は、遠位端にて電極６４を有する。カテーテル１５０は、１組のケーブル布線１０を使用し、典型的に、体腔の電気特性を測定するのに使用されるカテーテルである。遠位端側にて、カテーテル１５０は直線状であるか、又はラッソーカテーテル若しくは螺旋形カテーテルとして曲線状であり得る。
【００４５】
例として、医療専門家１５６が、患者の心臓１６０から電圧信号を取得するために患者１５８にカテーテル１５０を挿入すると仮定する。専門家は挿入を実施するために、カテーテルに取り付けられているハンドル１６２を使用し、電極６４で発生した信号はコンソール１６４へと伝達される。
【００４６】
コンソール１６４は、受信信号を解析する処理装置１６６を含み、コンソールに取り付けられたディスプレイ１６８に、解析結果を表示し得る。この結果は典型的に、信号から誘導されたマップ、数値表示、及び／又はグラフの形式である。
【００４７】
電位を取得する際のカテーテル１５０などカテーテルの使用のより詳細な説明は、米国特許第６，５８４，３４５号及び同第６，４００，９８１号（両方ともＧｏｖａｒｉ）において提供されており、これらの特許は、参照により本明細書に組み込まれる。
【００４８】
上記の説明は、全般的に、単一巻き方向に巻き付けられたワイヤを有するケーブル布線への電極の取り付けを対象としているが、本発明の範囲は、編組されるケーブル布線を含み、ケーブル布線は、左巻きのコイル及び右巻きのコイルとして形成されたワイヤを含むことが認識されるであろう。ケーブル布線に取り付けられた電極は、ケーブル布線取り囲むリングの形である必要がなくて、むしろ、ケーブル布線を取り囲まない任意の簡便な形状であってもよいことも認識されるであろう。
【００４９】
したがって、上述の実施形態は一例として引用したものであり、また本発明は上記に具体的に図示及び記載したものに限定されないことは認識されるであろう。むしろ、本発明の範囲には、上で説明した様々な特徴の組合わせと部分的組合わせの両方、並びにそれらの変形形態及び修正形態が含まれ、これらは、上述の説明を読めば当業者には想到するものであり、従来技術では開示されていないものである。
【００５０】
〔実施の態様〕
（１）  電極をケーブル布線に装着する方法であって、
中央コアの周りに巻き付けられた複数の絶縁ワイヤを備えるケーブルを提供することと、
１組の前記巻き付けられたワイヤの内のそれぞれのワイヤから絶縁材を除去して、前記１組の内のそれぞれのワイヤのそれぞれの導体のそれぞれの部分へのそれぞれのアクセスチャネルを、前記それぞれの部分が前記中央コアの上で巻き付けられたままである間に、提供するようにすることと、
前記それぞれの部分が前記中央コアの上で巻き付けられたままである間に前記それぞれのアクセスチャネルにそれぞれの電極を取り付けることと、を含む、方法。
（２）  前記それぞれの電極を取り付けることの前に前記それぞれのアクセスチャネルの近傍に半田ボールを位置決めすることを含み、前記それぞれの電極を取り付けることは、前記半田ボールを融解させて、固化した半田が、前記それぞれの電極に、前記それぞれのアクセスチャネルを介して、前記それぞれの導体の前記それぞれの部分を接続するようにすることを含む、実施態様１に記載の方法。
（３）  前記半田ボールを位置決めすることは、前記それぞれのアクセスチャネルの上に接着剤を塗布して、前記接着剤で定位置に前記半田ボールを保持することを含む、実施態様２に記載の方法。
（４）  前記それぞれの電極は、前記ケーブル布線を完全に取り囲む、実施態様１に記載の方法。
（５）  前記それぞれの電極は、前記ケーブル布線を部分的に取り囲む、実施態様１に記載の方法。
【００５１】
（６）  前記ワイヤは、前記中央コアの周りに単一の巻き方向で（single-handedly）巻き付けられる、実施態様１に記載の方法。
（７）  前記１組は、前記中央コアの周りに左巻きに巻き付けられた前記ワイヤの第１のグループと、前記中央コアの周りに右巻きに巻き付けられた前記ワイヤの第２のグループと、を備える、実施態様１に記載の方法。
（８）  侵襲性医療処置において前記ケーブル布線を使用することを含む、実施態様１に記載の方法。
（９）  装置であって、
中央コアの周りに巻き付けられた複数の絶縁ワイヤを備えるケーブルと、
１組の前記巻き付けられたワイヤの内のそれぞれのワイヤのそれぞれの導体のそれぞれの部分へのそれぞれのアクセスチャネルであって、前記それぞれの部分が前記中央コアの上で巻き付けられたままである間に前記１組の内のそれぞれのワイヤから絶縁材を除去することにより形成された、それぞれのアクセスチャネルと、
前記それぞれの部分が前記中央コアの上で巻き付けられたままである間に前記それぞれのアクセスチャネルに取り付けられたそれぞれの電極と、を備える、装置。
（１０）  前記それぞれの電極を取り付けることより前に前記それぞれのアクセスチャネルの近傍に位置決めされた半田ボールを備え、前記それぞれの電極を取り付けることは、前記半田ボールを融解させて、固化した半田が、前記それぞれの電極に、前記それぞれのアクセスチャネルを介して、前記それぞれの導体の前記それぞれの部分を接続するようにすることを含む、実施態様９に記載の装置。
【００５２】
（１１）  定位置に前記半田ボールを保持する、前記それぞれのアクセスチャネルの上に塗布された接着剤を備える、実施態様１０に記載の装置。
（１２）  前記それぞれの電極は、前記ケーブル布線を完全に取り囲む、実施態様９に記載の装置。
（１３）  前記それぞれの電極は、前記ケーブル布線を部分的に取り囲む、実施態様９に記載の装置。
（１４）  前記ワイヤは、前記中央コアの周りに単一の巻き方向で巻き付けられる、実施態様９に記載の装置。
（１５）  前記１組は、前記中央コアの周りに左巻きに巻き付けられた前記ワイヤの第１のグループと、前記中央コアの周りに右巻きに巻き付けられた前記ワイヤの第２のグループと、を備える、実施態様９に記載の装置。
【図１Ａ】
2015083130.tif 000003
【図１Ｂ】
2015083130.tif 000004
【図２Ａ】
2015083130.tif 000005
【図２Ｂ】
2015083130.tif 000006
【図２Ｃ】
2015083130.tif 000007
【図２Ｄ】
2015083130.tif 000008
【図２Ｅ】
2015083130.tif 000009
【図３】
2015083130.tif 000010
【図４】
2015083130.tif 000011
【外国語明細書】
2015083130000001.pdf